(57)【特許請求の範囲】
【請求項１】
住宅内の各部屋に設けた各種の機器を、ユーザにより入力操作される操作端末からの操作情報により制御可能とした住宅用機器制御システムにおいて、
前記操作端末を装着するためのホルダを住宅内の所定位置に設置し、
前記操作端末は、前記ホルダに装着された状態で使用環境を判定する判定機能と、該判定機能による判定結果に応じて当該操作端末に設けた表示部の表示態様を変更する表示変更機能とを有し、
前記各機器を前記住宅内に敷設した通信ネットワークに接続し、前記操作端末により前記通信ネットワーク上に操作情報を流して各機器の制御を行わせるものであり、
前記住宅内に敷設した通信ネットワーク上に前記各機器及び無線アクセスポイントを設けるとともに前記ホルダの有線通信部を接続し、
前記操作端末は、前記ホルダに装着されていない状態で前記無線アクセスポイントを経由した無線通信により前記機器を操作する一方、前記ホルダに装着された状態で前記有線通信部を介した有線通信により前記機器を操作することを特徴とする住宅用機器制御システム。
【請求項２】
前記操作端末は、前記ホルダに装着された状態で当該ホルダから部屋識別情報を取得し、該部屋識別情報に応じて前記表示部の表示態様を変更することを特徴とする請求項１に記載の住宅用機器制御システム。
【請求項３】
前記操作端末は、前記部屋ごとの機器に合わせて前記表示部の表示態様を変更することを特徴とする請求項２に記載の住宅用機器制御システム。
【請求項４】
前記操作端末の記憶部に複数の画面情報をあらかじめ登録しておき、該操作端末は、前記ホルダに装着された時に、都度の使用環境に応じて前記登録した画面情報のうちいずれかを用いて前記表示部の表示態様を切り替えることを特徴とする請求項１乃至３のいずれかに記載の住宅用機器制御システム。
【請求項５】
前記住宅内の機器情報を記憶するサーバ装置を備え、前記操作端末は、前記ホルダに装着された状態で該ホルダを経由して前記サーバ装置から画面情報を取得し、その画面情報により前記表示部の表示態様を切り替えることを特徴とする請求項１乃至３のいずれかに記載の住宅用機器制御システム。
【請求項６】
画面情報を記憶する記憶部を前記操作端末に設け、前記操作端末は、記憶部に記憶されている画面情報と前記サーバ装置から取得した画面情報とが同じであるか否かを判定し、それらが相違する場合に、サーバ装置から取得した画面情報によって前記記憶部の画面情報を更新することを特徴とする請求項５に記載の住宅用機器制御システム。
【請求項７】
前記操作端末は、都度の使用環境に応じて前記表示部の文字や図表等を拡大表示又は縮小表示することを特徴とする請求項１乃至６のいずれかに記載の住宅用機器制御システム。
【請求項８】
前記操作端末が電源としてのバッテリを備え、前記操作端末が前記ホルダに装着された状態でバッテリに対して充電が行われることを特徴とする請求項１乃至７のいずれかに記載の住宅用機器制御システム。
【請求項９】
前記住宅内の所定位置ごとにホルダ接続地点を設け、前記ホルダは前記ホルダ接続地点において着脱可能であることを特徴とする請求項１乃至８のいずれかに記載の住宅用機器制御システム。
【発明の詳細な説明】
【技術分野】
【０００１】
本発明は、住宅内に設置された各機器を操作端末により操作可能とする住宅用機器制御システムに関するものである。
【背景技術】
【０００２】
住宅においては各部屋で幾つもの設備機器や家電が使用されており、近年ではそれら各設備機器等を共通の操作端末で操作する技術が検討されている。例えば、特許文献１の操作端末では、操作端末があらかじめ定められた領域内に存在することが検出された場合に、その領域内に存在する機器の識別情報を管理サーバから受信し表示画面に表示する。より詳しくは、操作端末は、機器に関する情報を取得する際、まずはセンサとの無線通信により操作端末がどの部屋にあるかを表す部屋番号の情報を取得し、次に、管理サーバとの無線通信により部屋の機器情報を取得する。そして、部屋の機器情報から表示部の画面情報を整えることとしている。これにより、ユーザの周辺に存在する機器の制御を集中管理できる操作端末を提供することとしている。
【０００３】
しかしながら上記従来技術では、センサや管理サーバとの無線通信によって部屋情報等を取得する構成としており、住宅内における無線の通信状況が良好でない場合には部屋情報等が適正に得られないことが生じる。かかる場合、部屋情報等が適正に得られないと、ユーザにとっては操作端末の操作性が向上されないという不都合が生じる。また、ユーザが実際に操作端末を使用する部屋と、操作端末が認識している部屋とで食い違いが生じると、表示部に表示される操作画面が全く異なるものとなり、却って操作性が悪化するおそれもあった。
【特許文献１】特開２００３−８７２７５号公報
【発明の開示】
【発明が解決しようとする課題】
【０００４】
本発明は、操作端末の表示態様をユーザが望むように切り替えることができ、その利便性を大いに向上させることができる住宅用機器制御システムを提供することを主たる目的とするものである。
【課題を解決するための手段】
【０００５】
以下、上記課題を解決するのに有効な手段等につき、必要に応じて作用、効果等を示しつつ説明する。なお以下では、理解を容易にするため、発明の実施の形態において対応する構成例を括弧書き等で適宜示すが、この括弧書き等で示した具体的構成に限定されるものではない。
【０００６】
本発明の住宅用機器制御システムでは、ユーザによる操作端末（操作端末１２）の入力操作に応じて各部屋の機器（電気機器Ａ１，Ａ２等）が制御される。また特に、住宅内の所定位置にホルダ（充電装置１５）が設けられ、操作端末においては、ホルダに装着された状態で使用環境が判定されるとともに、該判定結果に応じて表示部（表示部１２ｂ）の表示態様（表示画面）が変更される。この場合、操作端末において使用環境の判定及び表示態様の変更が行われるのは、所定の状態、すなわちホルダに装着された状態に限られ、表示変更を適正に行わせることができる。したがって、操作端末の表示態様をユーザが望むように切り替えることができ、その利便性を大いに向上させることができる。
【０００７】
各機器を通信ネットワークに接続し、操作端末により通信ネットワーク上に操作情報を
流して各機器の制御を行わせるようにすると良い。この場合、ネットワーク化された住宅において、操作端末によって各機器を集中管理することができる。
【０００８】
操作端末は、ホルダに装着された状態で当該ホルダから部屋識別情報（ルームＩＤ）を取得し、該部屋識別情報に応じて表示部の表示態様を変更するものであると良い。この場合、操作端末では、ホルダから取得した部屋識別情報によって部屋の認識を正確に行い、表示態様の変更を適正に行わせることができる。例えば、各部屋特有の操作メニュー等を表示させることが可能となる。
【０００９】
設置される機器が部屋ごとに相違する場合が考えられ、操作端末は、部屋ごとの機器に合わせて表示部の表示態様を変更すると良い。かかる場合、部屋内で使用できる機器のみを操作端末の表示部に表示させることが可能となるため、ユーザは各機器の操作を簡単に行うことができるようになる。
【００１０】
操作端末で可変表示される画面情報は、操作端末自体に情報ソースを有するもの、他の装置から情報提供されるもののいずれでも良い。すなわち、
（１）操作端末に複数の画面情報をあらかじめ登録しておき、該操作端末は、ホルダに装着された時に、都度の使用環境に応じて前記登録した画面情報のうちいずれかを用いて表示部の表示態様を切り替えると良い。
（２）操作端末は、ホルダに装着された状態で該ホルダを経由してサーバ装置（住宅内の機器情報を記憶するサーバ装置）から画面情報を取得し、その画面情報により表示部の表示態様を切り替えると良い。
【００１１】
上記（２）の場合、操作端末は、記憶部に記憶されている画面情報とサーバ装置から取得した画面情報とが同じであるか否かを判定し、それらが相違する場合に、サーバ装置から取得した画面情報によって前記記憶部の画面情報を更新すると良い。これにより、住宅内で機器が追加された場合等において、その機器追加に対応した好適なる表示を行わせることができる。なお、サーバ装置では、機器の追加又は削減があった都度、手動又は自動で機器情報が更新される。
【００１２】
操作端末は、都度の使用環境に応じて前記表示部の文字や図表等を拡大表示又は縮小表示すると良い。これにより、操作端末の操作性が向上する。例えば、機器類が少ない部屋で使用される場合には表示対象となる機器情報も少なくなるため、１つ１つの文字や図表等を拡大表示する。又は、浴室などにおいては、眼鏡を外した状態でも操作しやすいように１つ１つの文字や図表等を拡大表示する。
【００１３】
操作端末は一般に電源としてのバッテリ（バッテリ２５）を備えており、ホルダに装着された状態で操作端末に対して充電が行われると良い。これにより、操作端末をホルダに装着した状態では、表示画像情報の取り込みと同時にバッテリ充電を行うことができ、操作端末が電池切れとなることが回避できる。
【００１４】
操作端末は、ホルダに装着された状態で有線通信により前記機器を操作するものであると良い。有線通信を用いることにより、情報の伝送を品質特性が良い状態でしかも効率良く行うことができる。したがって、操作端末における表示部の表示変更を適正にかつ多様に行わせることができる。
【００１５】
一方で、操作端末に無線通信機能と有線通信機能とを共に持たせるようにしても良い。かかる場合、住宅内の通信ネットワーク（通信ネットワーク１０）上に前記各機器や無線アクセスポイント（無線アクセスポイント１１）を設けるとともにホルダの有線通信部（有線通信モジュール３２）を接続する。そして、操作端末は、ホルダに装着されていない
状態で無線アクセスポイントを経由した無線通信により機器を操作する一方、ホルダに装着された状態で有線通信部を介した有線通信により機器を操作する。
【００１６】
本構成によれば、操作端末がホルダ装着状態であるか否かに応じて無線通信と有線通信とが適宜切り替えられる。この場合、有線通信と無線通信とを比較すると、一般的に有線通信の方が品質特性が良く、情報の伝送効率も高いと考えられる。故に、操作端末がホルダ装着状態にある場合に有線通信が優先的に行われることで、該ホルダ装着状態での通信特性を良好なものとすることができる。したがって、操作端末における表示部の表示変更を適正にかつ多様に行わせることができる。
【００１７】
また、操作端末がホルダに装着された状態、すなわち表示態様変更が行われる状態で無線通信を行わないようにすることで、定常的に電波を発信する必要がなくなり、操作端末における電力消費を低減することができる。
【００１８】
また、住宅内においてホルダの設置場所を変更可能とすると良い。この場合、住宅内に複数のホルダ接続地点を設け、ホルダを各ホルダ接続地点で着脱可能とすると良い。これにより、本システムを活用する上での自由度を高めることができる。
【発明を実施するための最良の形態】
【００１９】
以下、本発明を具体化した一実施の形態を図面に基づいて説明する。本実施の形態では、住宅内において設備機器や家電装置などを通信ネットワークを介して制御する住宅ネットワークシステムを構築するものとしており、その概要を図１に示す。なお、こうしたネットワークシステムを備えた住宅はインテリジェント住宅（知能住宅）とも称される。
【００２０】
図１において、住宅内には複数の部屋（部屋Ａ，Ｂ等）が設けられており、この各部屋を通じてＬＡＮケーブルによる通信ネットワーク１０が敷設されている。通信ネットワーク１０上には、電波の中継地点である無線アクセスポイント１１が複数箇所に設けられている。この無線アクセスポイント１１では、携帯端末装置である操作端末１２から送信される電波が随時受信される。
【００２１】
部屋Ａにおいては通信ネットワーク１０に照明器具やエアコン等からなる電気機器Ａ１，Ａ２が接続され、部屋Ｂにおいては通信ネットワーク１０に同じく照明器具やエアコン等からなる電気機器Ｂ１，Ｂ２が接続されている。これら各部屋Ａ，Ｂの電気機器Ａ１，Ａ２，Ｂ１，Ｂ２では、通信ネットワーク１０を介して送られてくる情報に基づいて各種制御が行われる。例えば、照明器具に関しては、そのＯＮ／ＯＦＦ（点灯及び消灯）や照度調節などの制御が行われる。エアコンに関しては、そのＯＮ／ＯＦＦ（稼動及び稼動停止）、設定温度調整、風量調整、風向き調整などの制御が行われる。
【００２２】
操作端末１２は、複数の操作ボタンが配列された操作部１２ａと、液晶ディスプレイからなる表示部１２ｂと、電波送受信部たるアンテナ部１２ｃとを有している。表示部１２ｂには各電気機器Ａ１，Ａ２等を操作するための操作メニューが表示され、ユーザは、表示部１２ｂの操作メニューを見ながら操作部１２ａの押し操作等を行うことができるようになっている。この操作端末１２の入力操作によって各機器が遠隔操作される。図１には図示を略すが、操作端末１２にはバッテリ（二次電池）が内蔵されており、筐体の一端部には充電用端子が設けられている。
【００２３】
なお、操作端末１２は、２つの筐体がヒンジ部を介して連結されて折り畳み可能とされた折り畳み式操作端末であっても良い。折り畳み式とすることで、操作端末１２の体格を大きくすることなく、表示部１２ｂの大型化を図ることができる。また、操作端末１２において、操作部１２ａと表示部１２ｂとを有する構成に代えて、タッチパネル式の構成を
採用しても良い。
【００２４】
また、各部屋Ａ，Ｂには、操作端末１２を充電するための充電装置（クレイドルとも称される）１５がそれぞれ設けられており、その充電装置１５も上記の各電気機器と同様に通信ネットワーク１０に接続されている。充電装置１５は、操作端末１２を装着するためのホルダ部（保持部）を有しており、該ホルダ部に操作端末１２が装着されることにより操作端末１２と充電装置１５との間で電気的な接続がなされ、操作端末１２の充電や各種情報のやり取りが行われるようになっている。なお図１では、２つの部屋Ａ，Ｂの充電装置１５を示しているが、通信ネットワーク１０が敷かれかつ操作対象となる機器類が設置されている全ての部屋の所定位置に充電装置が設けられている。
【００２５】
図２は、操作端末１２と充電装置１５に付加された機能等を示す機能ブロック図である。図２において、操作端末１２は、有線通信モジュール２１と無線通信モジュール２２とを備えており、これら各モジュール２１，２２によって有線通信と無線通信とが共に可能となっている。また、同操作端末１２は、通信／表示判断部２３と、ＧＵＩ（Graphical User Interface）生成モジュール２４と、バッテリ２５と、充電状態判断部２６とを備えている。
【００２６】
通信／表示判断部２３は、操作部１２ａの操作入力に基づいて操作指令情報を作成するとともに、該指令情報を有線通信モジュール２１又は無線通信モジュール２２のいずれかを用いて通信ネットワーク１０に送信する。また、同通信／表示判断部２３は、操作部１２ａの操作入力や、有線通信モジュール２１又は無線通信モジュール２２を介して取り込まれた受信情報に基づいて表示部１２ｂの表示内容を決定し、その表示内容に応じてＧＵＩ生成モジュール２４に対して画面切替などを指令する。ＧＵＩ生成モジュール２４は、通信／表示判断部２３からの指令に基づいて表示部１２ｂにおける操作画面の作成等を実行する。なお、本操作端末１２では、複数の操作画面情報が内部メモリにあらかじめ登録されており、その登録情報に基づいて表示画面を切り替えが行われる。
【００２７】
充電状態判断部２６は、バッテリ２５に残存する電気容量を監視するとともに、その監視結果を通信／表示判断部２３に出力する。通信／表示判断部２３は、バッテリ２５の残存容量を表示部１２ｂに表示させる指令を出力する。
【００２８】
充電装置１５は、ルームＩＤ記憶部３１と、有線通信モジュール３２と、電源供給部３３とを有している。操作端末１２が充電装置１５に装着（セット）された状態では、操作端末１２の有線通信モジュール２１と充電装置１５の有線通信モジュール３２とが接続されて互いに通信可能とされ、操作端末１２と充電装置１５との間で有線通信が行われる。このとき、充電装置１５から操作端末１２に対して、ルームＩＤ記憶部３１にあらかじめ記憶した部屋ごとのルームＩＤ（識別コード）が送信される。
【００２９】
また、同じく操作端末１２が充電装置１５に装着された状態では、電源供給部３３から操作端末１２のバッテリ２５に直流電力が供給され、該バッテリ２５の充電が行われる。
【００３０】
上記構成の住宅ネットワークシステムでは、ユーザ（居住者等）が操作端末１２を手に持った状態で操作部１２ａの操作などが行われると、その操作情報が無線通信によって通信ネットワーク１０上に流れ、操作対象の電気機器で所望の制御が実行される。例えば、図１に示すように、充電装置１５に設置していない操作端末１２を用い、部屋Ｂの電気機器Ｂ１（照明器具）を操作する場合を想定する。この場合、操作端末１２の操作情報が、無線アクセスポイント１１→通信ネットワーク１０→電気機器Ｂ１の経路で流れ（図１のＸ１）、電気機器Ｂ１において操作端末１２の操作内容に応じた制御が行われる。
【００３１】
また、操作端末１２が充電装置１５に装着された状態で操作部１２ａの操作などが行われると、その操作情報が有線通信によって通信ネットワーク１０上に流れ、操作対象の電気機器で所望の制御が実行される。例えば、操作端末１２の操作情報が、充電装置１５（有線通信モジュール３２）→通信ネットワーク１０→電気機器Ｂ１の経路で流れ（図１のＸ２）、電気機器Ｂ１において操作端末１２の操作内容に応じた制御が行われる。
【００３２】
また本実施の形態のシステムでは、特徴的な構成として、操作端末１２が充電装置１５に装着されているか否かに応じて操作端末１２の表示画面を切り替えるようにしている。その具体的な表示例を図３により説明する。図３において、（ａ）は無線通信状態（すなわち、操作端末１２を充電装置１５に装着していない状態）での操作端末１２の操作画面例を示し、（ｂ）は充電状態（すなわち、操作端末１２を充電装置１５に装着した状態）での操作端末１２の操作画面例を示す。
【００３３】
図３の（ａ）では、操作画面として「住宅全体操作メニュー」が表示されている。この場合、部屋Ａ，Ｂ等にある全ての電気機器（図ではＡ１，Ａ２，Ｂ１，Ｂ２）が操作対象として表示されるとともに、機器ごとに操作メニュー又は操作状況等が表示される。また、図３の（ｂ）では、操作画面として「部屋Ｂ専用操作メニュー」が表示されている。この場合、部屋Ｂ内にある電気機器（Ｂ１，Ｂ２）が操作対象として表示されるとともに、機器ごとに操作メニュー又は操作状況等が表示される。図３の（ａ），（ｂ）を比べると、（ｂ）の方が表示対象の機器類が少ないため、その分文字や図表等が拡大表示されている。これにより、操作端末１２の操作性が向上する。ちなみに、浴室などを対象に操作メニューを表示する場合において、眼鏡を外した状態でも操作しやすいように１つ１つの文字や図表等を拡大表示することも可能である。
【００３４】
図４は、操作端末１２にて実行される処理手順を示すフローチャートである。本処理では、表示部１２ｂにおける表示切替と、通信方式の切替（無線／有線切替）とが適宜行われる。
【００３５】
図４において、ステップＳ１１では、今現在、操作端末１２が充電中であるか否か、すなわち操作端末１２が充電装置１５に装着されているか否かを判定する。充電中でなければステップＳ１２に進み、部屋全体の操作メニュー（例えば図３の（ａ）参照）を表示させるべくＧＵＩ画像の生成を実行する。その後、ステップＳ１３では、操作部１２ａに対する入力操作が行われたか否かを判定し、入力操作があった場合にはステップＳ１４に進む。ステップＳ１４では、無線通信により今回の操作情報を送信する。
【００３６】
また、充電中であれば、ステップＳ１５に進み、充電装置１５からルームＩＤを取得し、続くステップＳ１６では、ルームＩＤに従い部屋特有の操作メニュー（例えば図３の（ｂ）参照）を表示させるべくＧＵＩ画像の生成を実行する。その後、ステップＳ１７では、操作部１２ａに対する入力操作が行われたか否かを判定し、入力操作があった場合にはステップＳ１８に進む。ステップＳ１８では、有線通信により今回の操作情報を送信する。
【００３７】
以上詳述した本実施の形態によれば、以下の優れた効果が得られる。
【００３８】
操作端末１２において、ホルダたる充電装置１５に装着された状態で表示部１２ｂの表示画面が変更されるようにしたため、センサやサーバ等との無線通信に基づいて画面構成を変更する従来技術とは異なり、画面表示の変更を適正に行わせることができる。したがって、操作端末１２の表示画面をユーザが望むように切り替えることができ、その利便性を大いに向上させることができる。また本構成では、基本的に充電装置１５を介して行われる有線通信により部屋情報の取得が行われるため、部屋情報を発信するために天井等に
設置される発信装置（ビーコンなど）を排除することも可能となる。
【００３９】
操作端末１２を充電装置１５に装着した状態で操作端末１２のバッテリ充電が行われるため、操作端末１２で電池切れとなることが回避できる。したがって、ユーザが使いたい時に電池切れで使えないといった不都合が回避できる。また本実施の形態の構成では、表示部１２ｂの表示切替を行わせようとすると必然的に操作端末１２を充電装置１５に装着する機会が増える。したがって、操作端末１２で電池切れとなることがより確実に回避できる。
【００４０】
操作端末１２が住宅内の各部屋に持ち運び自在であり、かつ該操作端末１２によって住宅内の各機器が統括的に管理できるため、機器ごとに操作端末（リモコン）が必要となることもなく、ユーザにとっては使い慣れた操作端末１２を各部屋で共通使用できる。また、部屋ごとに操作端末を設置することも不要となる。その意味でも利便性が大いに向上する。またコスト面でも優位な構成が実現できる。
【００４１】
操作端末１２では、充電装置１５に装着された状態で該充電装置１５から取得したルームＩＤに応じて表示部１２ｂの表示画面が変更されるため、操作端末１２において部屋の認識を確実に行うことができ、各部屋特有の操作メニュー等を適正に表示させることが可能となる。このとき、部屋ごとの機器に合わせて部屋特有の操作メニューを表示することにより、ユーザによる操作性が向上する。
【００４２】
操作端末１２では、充電装置１５に装着されていない状態（非充電状態）で無線通信が行われる一方、充電装置１５に装着された状態（充電状態）で有線通信が行われる。したがって、操作端末１２が充電装置１５に装着された状態（充電状態）での通信特性を良好なものとすることができる。したがって、操作端末１２における表示部１２ｂの表示変更を適正にかつ多様に行わせることができる。また、操作端末１２が充電装置１５に装着された状態、すなわち表示画面変更が行われる状態で無線通信を行わないようにすることで、定常的に電波を発信する必要がなくなり、操作端末１２における電力消費を低減することができる。
【００４３】
なお、本発明は上記実施の形態の記載内容に限定されず、例えば次のように実施しても良い。
【００４４】
上記実施の形態では、操作端末１２に対して充電装置１５から部屋識別情報（ルームＩＤ）を送信したが、この構成を以下のように変更する。図５に概略構成を示す。図５では、前記同様、通信ネットワーク１０に充電装置１５が接続されている。また、新たに住宅内における各部屋の機器情報を記憶するサーバ４０が通信ネットワーク１０に接続されている。本構成においては、サーバ４０内のメモリ４１に画面情報としての画面コンテンツが記憶されており、操作端末１２とサーバ４０との間の通信により画面コンテンツが操作端末１２に対して配信される。かかる場合、操作端末１２が充電装置１５に装着された状態では、まず操作端末１２において充電装置１５からルームＩＤが取得される（図の丸数字１）。次に、操作端末１２が充電装置１５を経由してサーバ４０に対して画面コンテンツの取得を要求し（図の丸数字２）、サーバ４０では操作端末１２からの要求に応じて画面コンテンツを配信する（図の丸数字３）。そしてその後、操作端末１２では、配信された画面コンテンツを充電装置１５を経由して取得し、該画面コンテンツを表示部１２ｂに表示する。
【００４５】
上記のようにサーバ４０を具備するシステム構成において下記の構成を付加しても良い。すなわち、操作端末１２は、内部メモリに記憶されている画面情報とサーバ４０から取得した画面情報とが同じであるか否かを判定し、それらが相違する場合に、サーバ４０か
ら取得した画面情報によって操作端末内メモリの画面情報を更新する。これにより、住宅内で機器が追加された場合等において、その機器追加に対応した好適なる表示を行わせることができる。なお、サーバ４０では、機器の追加又は削減があった都度、手動又は自動で機器情報が更新される。
【００４６】
上記実施の形態では、操作端末１２が持ち運ばれた部屋を認識し、その認識された部屋がいずれであるかによって操作端末１２の使用環境を判定したが、これを以下のように変更する。
・操作端末１２の使用が１日のなかのどの時間帯であるかにより操作端末１２の使用環境を判定する。具体的には、１日を複数の時間帯（朝時間帯／昼時間帯／夜時間帯など）に区分しておき、それら時間帯ごとに操作端末１２の表示切替を実行する。例えば、朝昼時間帯には照明器具を表示画面上の操作メニューから外し、夜時間帯には照明器具を操作メニューに入れるようにする。また、習慣的に朝時間帯にトーストとホットコーヒーを求めるユーザであれば、朝時間帯においてトースタとコーヒーメーカの操作メニューを操作端末１２の表示部１２ｂに追加表示する。こうした設定はユーザによって可変設定できると良い。
・部屋内でモニタした室内温度等により操作端末１２の使用環境を判定する。そして、例えば、冬場で室内温度が下がってきた場合に、エアコンや暖房器具に関する表示（操作メニュー）を拡大表示する。
【００４７】
上記実施の形態では、操作端末１２の表示部１２ｂに部屋特有の操作メニューを表示する際、部屋ごとの機器のみを表示するようにしたが、これを変更する。例えば、基本的には住宅内における操作対象の全て（又は主たる操作対象の全て）を常に表示することとし、それが部屋内の機器か部屋外の機器かに応じて、表示の大きさや色等を変えるようにしても良い。
【００４８】
上記実施の形態では、ホルダとしてバッテリ充電機能を有する充電装置１５を採用したが、これを変更し、バッテリ充電機能を有していないホルダを用いることも可能である。すなわち、ホルダは、少なくとも操作端末１２を装着するための保持部としての機能と、操作端末１２を装着した状態で部屋識別情報（ルームＩＤ）を操作端末１２に送信する機能とを有するものとする。
【００４９】
上記実施の形態では、操作端末１２が無線通信機能と有線通信機能とを共に有する構成としたが、これを変更する。操作端末１２は少なくとも有線通信機能を有するものであれば良く、操作端末１２が有線通信機能のみを有する場合には、操作端末１２が充電装置１５に装着された状態でのみ通信機能が有効となる。この場合、有線通信による各機器の操作等が行われる。
【００５０】
また、住宅内においてホルダ（充電装置１５）の設置場所を変更可能とする。この場合、住宅内に複数のホルダ接続地点を設け、ホルダを各ホルダ接続地点で着脱可能とする。これにより、本システムを活用する上での自由度を高めることができる。
【００５１】
上記実施の形態では、有線通信手段としてＬＡＮケーブルによる通信ネットワークを採用したが、これに代えて電力線など他の伝送媒体による通信ネットワークを採用しても良い。
【図面の簡単な説明】
【００５２】
【図１】住宅ネットワークシステムの概要を示す図。
【図２】操作端末と充電装置が有する機能等を示す機能ブロック図。
【図３】操作端末における表示部の操作画面例を示す図。
【図４】操作端末で実行される処理手順を示すフローチャート。
【図５】別の形態におけるシステムを示す図。
【符号の説明】
【００５３】
１０…通信ネットワーク、１１…無線アクセスポイント、１２…操作端末、１２ｂ…表示部、１５…充電装置、２５…バッテリ、３２…有線通信モジュール、４０…サーバ、Ａ１，Ａ２等…電気機器、Ａ，Ｂ…部屋。
【図１】
0004723383.tif 000002
【図２】
0004723383.tif 000003
【図３】
0004723383.tif 000004
【図４】
0004723383.tif 000005
【図５】
0004723383.tif 000006